(57)【要約】      （修正有）【課題】本の表紙を、購買者が購買後に複数の表紙のうちの任意のものに変更して楽しむことができる、表紙の選択変更が可能な本を提供する。【解決手段】横方向の長さが各ページのほぼ２倍であって、横方向中心に縦に折り目２が設けられた主表紙１を備えた本であって、主表紙１は第一の表紙面Ａと第二の表紙面Ｂとを有し、第一の表紙面Ａは主表紙１を折り目２から内側に折り込むことにより表出し、第二の表紙面Ｂは主表紙１を折り目２から外側に折り返して第一の表紙面Ａに重ねることにより表出するようにした。【選択図】図２
0003215154.tif 000002
【実用新案登録請求の範囲】
【請求項１】
横方向の長さが各ページのほぼ２倍であって、横方向中心に縦に折り目が設けられた主表紙を備えた本であって、前記主表紙は第一の表紙面と第二の表紙面とを有し、前記第一の表紙面は前記主表紙を前記折り目から内側に折り込むことにより表出し、前記第二の表紙面は前記主表紙を前記折り目から外側に折り返して前記第一の表紙面に重ねることにより表出するようにしたことを特徴とする表紙の選択変更が可能な本。
【請求項２】
前記第一の表紙面と前記第二の表紙面は印刷内容が異なっている、請求項１に記載の表紙の選択変更が可能な本。
【請求項３】
横方向の長さが各ページのほぼ２倍であって、横方向中心に縦に折り目が設けられた主表紙と副表紙とを備えた本であって、前記主表紙は第一の表紙面と第二の表紙面とを有し、前記第一の表紙面は前記主表紙を前記折り目から内側に折り込むことにより表出し、前記第二の表紙面は前記主表紙を前記折り目から外側に折り返して前記第一の表紙面に重ねることにより表出するようにし、また、前記副表紙は第三の表紙面を有し、前記第三の表紙面は、前記副表紙を前記折り目から外側に折り返して表出している前記第一の表紙面又は前記第二の表紙面に重ねることにより表出するようにしたことを特徴とする表紙の選択変更が可能な本。
【請求項４】
前記第一の表紙面と前記第二の表紙面と前記第三の表紙面は、それぞれ印刷内容が異なっている、請求項３に記載の表紙の選択変更が可能な本。
【請求項５】
前記副表紙は、前記主表紙の次に綴られている、請求項３又は４に記載の表紙の選択変更が可能な本。
【考案の詳細な説明】
【技術分野】
【０００１】
本考案は、表紙の選択変更が可能な本、より詳細には、複数用意されている表紙のうちの任意のものを選択して表示することが可能な本に関するものである。
【背景技術】
【０００２】
週刊誌、月刊誌その他の本の表紙は、最も人目を惹く部分であり、表紙が購買の動機となることも少なくなく、また、購買後も常に目にする部分である。言うまでもなく、本の表紙は決まっていて、購買者が購買後に変更するようなことは全く想定されていない。従って、週刊誌や月刊誌等の雑誌の表紙には、芸能人等の有名人の写真が用いられることが多いが、購買者がその有名人のファンではないとしても、それを変更する訳にはいかない。
【先行技術文献】
【特許文献】
【０００３】
【特許文献１】特開２０１６−１５３２１１号公報
【考案の概要】
【考案が解決しようとする課題】
【０００４】
上述したように、本の表紙は決まっていて、購買者が購買後に変更することは想定されていない。そこで本考案は、本の表紙を、購買者が購買後に複数の表紙のうちの任意のものに変更して楽しむことができる、表紙の選択変更が可能な本を提供することを課題とする。
【課題を解決するための手段】
【０００５】
上記課題を解決するための請求項１に記載の考案は、横方向の長さが各ページのほぼ２倍であって、横方向中心に縦に折り目が設けられた主表紙を備えた本であって、前記主表紙は第一の表紙面と第二の表紙面とを有し、前記第一の表紙面は前記主表紙を前記折り目から内側に折り込むことにより表出し、前記第二の表紙面は前記主表紙を前記折り目から外側に折り返して前記第一の表紙面に重ねることにより表出するようにしたことを特徴とする表紙の選択変更が可能な本である。
【０００６】
一実施形態においては、前記第一の表紙面と前記第二の表紙面は印刷内容が異なっている。
【０００７】
上記課題を解決するための請求項３に記載の考案は、横方向の長さが各ページのほぼ２倍であって、横方向中心に縦に折り目が設けられた主表紙と副表紙とを備えた本であって、前記主表紙は第一の表紙面と第二の表紙面とを有し、前記第一の表紙面は前記主表紙を前記折り目から内側に折り込むことにより表出し、前記第二の表紙面は前記主表紙を前記折り目から外側に折り返して前記第一の表紙面に重ねることにより表出するようにし、また、前記副表紙は第三の表紙面を有し、前記第三の表紙面は、前記副表紙を前記折り目から外側に折り返して表出している前記第一の表紙面又は前記第二の表紙面に重ねることにより表出するようにしたことを特徴とする表紙の選択変更が可能な本である。
【０００８】
一実施形態においては、前記第一の表紙面と前記第二の表紙面と前記第三の表紙面は、それぞれ印刷内容が異なっている。また、前記副表紙は、前記主表紙の次に綴られる。
【考案の効果】
【０００９】
本考案に係る表紙の選択変更が可能な本は上記のとおりのものであり、購買者が複数用意されている表紙面の中から好みのものを選択して表紙にして楽しむことができる効果があり、また、従前にない表紙裏スペースができるため、その部分の有効活用が可能となる効果がある。
【図面の簡単な説明】
【００１０】
【図１】本考案に係る表紙の選択変更が可能な本の第２の実施形態の構成を示す斜視図である。
【図２】第１の実施形態における、第一の表紙面から第二の表紙面への切り替えの過程を示す図である。
【図３】第２の実施形態における、第一もしくは第二の表紙面から第三の表紙面への切り替えの過程を示す図である。
【図４】本考案に係る表紙の選択変更が可能な本の３通りの表紙面の表出状態を示す図である。
【考案を実施するための形態】
【００１１】
本考案を実施するための形態について、添付図面に依拠して説明する。本考案に係る表紙の選択変更が可能な本の第１の実施形態は、横方向の長さが各ページのほぼ２倍であって、横方向中心に縦に折り目２が設けられた主表紙１を有する本である。主表紙１は、第一の表紙面Ａと第二の表紙面Ｂを有し、第二の表紙面Ｂは、第一の表紙面Ａの延長部の裏面に存する。
【００１２】
本考案に係る本は、販売当初、主表紙１が折り目２から内側に、即ち、第一の表紙面Ａの裏側に折り込まれて、第一の表紙面Ａが表出し、第二の表紙面Ｂがその裏に隠れた状態にある（図２（Ａ）、図４（Ａ）参照）。第二の表紙面Ｂは、主表紙１を展開して折り目２から外側（上側）に折り返し（図２（Ｂ）参照）、第一の表紙面Ａに重ねることにより表出する（図２（Ｃ）、図４（Ｂ）参照）。通例、第一の表紙面Ａと第二の表紙面Ｂは，印刷内容が異なったものとされる。
【００１３】
本考案の第２の実施形態は、上記第１の実施形態の構成に更に、副表紙３を付加したものである。この第２の実施形態の本は、横方向の長さが各ページのほぼ２倍であって、横方向中心に縦に折り目２が設けられた主表紙１と、同じく横方向中心に縦に折り目４が設けられた副表紙３を有する。主表紙１は、第１の実施形態の場合と同様に、第一の表紙面Ａと第二の表紙面Ｂを有し、第一の表紙面Ａは主表紙１を折り目２から内側に折り込むことにより表出し、第二の表紙面Ｂは主表紙１を折り目２から外側に折り返して第一の表紙面Ａに重ねることにより表出する（図３（Ａ）参照）。
【００１４】
副表紙３は第三の表紙面Ｃを有し、第三の表紙面Ｃは、副表紙３を折り目４から外側に折り返し、表出している第一の表紙面Ａ又は第二の表紙面Ｂ（図３（Ｂ）においては第二の表紙面Ｂ）に重ねることにより表出するようにしたものである（図３（Ｃ）、図４（Ｃ）参照）。即ち、第三の表紙面Ｃは、第二の表紙面Ｂと同様に、副表紙３の延長部の裏面に存する（図１、図３（Ｂ）参照）。通例、副表紙３は主表紙１の次ページに綴られる。また、第一の表紙面Ａ、第二の表紙面Ｂ及び第三の表紙面Ｃは、それぞれ印刷内容が異なったものとされる。
【００１５】
図２に示される第１の実施形態の場合、当初（販売時）は、主表紙１が折り目２から内側に折り込まれていて、第一の表紙面Ａが表出した状態にある（図２（Ａ）、図４（Ａ）参照）。そこで、主表紙１を展開すると、裏側に第二の表紙面Ｂが現れるので（図２（Ｂ）参照）、それを見て、それを表紙にしたい場合は、主表紙１を折り目２から外側に折り返し（図２（Ｂ）参照）、第一の表紙面Ａに重ねることにより、第二の表紙面Ｂを表紙にすることができる（図２（Ｃ）、図４（Ｂ）参照）。
【００１６】
図１及び図３に示される第２の実施形態の場合、販売時は、第１の実施形態の場合と同様に第一の表紙面Ａが表出しており、その後、購買者の好みによっては、第二の表紙面Ｂに変更される（図３（Ａ）参照）。そこで主表紙１の次のページに綴られている副表紙３を展開すると、その裏側に第三の表紙面Ｃが現れるので（図１、図３（Ｂ）参照）、それを見て、そのページを表紙にしたい場合は、副表紙３を折り目４から上側に折り返し（図３（Ｂ）参照）、表出している第二の表紙面Ｂ（あるいは第１の表紙面Ａ）に重ねることで、第三の表紙面Ｃを表紙にすることができる（図３（Ｃ）、図４（Ｃ）参照）。
【００１７】
上記構成の副表紙３を複数配することにより、表紙候補を更に増やすことができる。かくして、本考案に係る表紙の選択変更が可能な本の場合は、少なくとも３通りの表紙を楽しむことができ、また、主表紙１と副表紙３において表紙面とならない２ページ分は、購買者の興味をそそる企画ページ等に有効利用することができる。
【産業上の利用可能性】
【００１８】
本考案に係る表紙の選択変更が可能な本は上記のとおりのものであり、購買者が複数用意されている表紙面の中から好みのものを選択して表紙にして楽しむことができる効果があり、また、従前にない表紙裏スペースができるため、その部分の有効活用が可能となるものであって、その産業上の利用可能性は大である。
【符号の説明】
【００１９】
１    主表紙
２    折り目
３    副表紙
４    折り目
Ａ    第一の表紙面
Ｂ    第二の表紙面
Ｃ    第三の表紙面
【図１】
0003215154.tif 000003
【図２】
0003215154.tif 000004
【図３】
0003215154.tif 000005
【図４】
0003215154.tif 000006